(57)【特許請求の範囲】
【請求項１】
一方の端部が第一回動軸を介して基体に回動自在に軸支され、他方の端部が第二回動軸を介して可動体に回動自在に軸支される第一アームと、前記第一アームに対向して配置され、一方の端部が第三回動軸を介して前記基体に回動自在に軸支され、他方の端部が第四回動軸を介して前記可動体に回動自在に軸支される第二アームとを有し、前記可動体を前記基体に対して往復移動可能に支持する四節平行リンク機構を具備し、
前記基体に対して前記第一アーム及び第二アームが、前記第二アーム側である第一方向に回動することで前記可動体が待機位置から作動位置に移動し、前記第一アーム側であって前記第一方向と反対方向である第二方向に回動することで前記可動体が前記作動位置から前記待機位置に移動する、
可動体の支持構造であって、
前記第一アームは、前記第一回動軸を軸支する第一回動軸支部と、前記第一回動軸及び第二回動軸の間に配置されて前記第二アームの反対側へ向けて凸となるように曲成された第一アーム曲成部と、を有し、
第二アームは、前記第四回動軸を軸支する第四回動軸支部と、前記第三回動軸及び第四回動軸の間に配置されて前記第一アームの反対側へ向けて凸となるように曲成された第二アーム曲成部と、を有し、
前記可動体が前記待機位置に位置する待機状態において、
前記第一回動軸と前記第二回動軸とを結んだ直線状であって短手方向の幅を前記第一アームの短手方向の幅と同一幅として設定される仮想第一アーム領域に前記第二アームの前記第四回動軸支部を重複させ、この重複する領域の前記第一アーム側の外形に沿って前記第一アームの前記第一アーム曲成部を形成し、
前記第三回動軸と前記第四回動軸とを結んだ直線状であって短手方向の幅を前記第二アームの短手方向の幅と同一幅として設定される仮想第二アーム領域に前記第一アームの前記第一回動軸支部を重複させ、この重複する領域の前記第二アーム側の外形に沿って前記第二アームの前記第二アーム曲成部を形成し、
前記第一アームの前記第二アーム側の外形と、前記第二アームの前記第一アーム側の外形と、を全体として相互に沿うような形状に形成する、
ことを特徴とする遊技機の可動体支持構造。
【発明の詳細な説明】
【技術分野】
【０００１】
本発明は、遊技機に関し、より詳細には、遊技機の可動体を支持するための構造の技術に関する。
【背景技術】
【０００２】
従来、遊技機においては、遊技の演出に用いる可動体を備えて、その可動体を回動可能に支持する構造の技術が公知となっている。例えば、特許文献１に記載の如くである。
【０００３】
特許文献１に記載の技術では、可動体は、四節平行リンク機構を構成する一対のリンク部材（第一アーム及び第二アーム）を介してケース体に支持され、その第一アーム及び第二アームが回動することによってケース体に対して回動可能に構成される。
【０００４】
このように構成することにより、可動体を遊技の演出に用いる場合には、当該可動体を第一アーム及び第二アームの回動によりケース体から離間させて、遊技者の注意を惹く場所に回動（出現）させることができる。一方、可動体を遊技の演出に用いない場合には、当該可動体を第一アーム及び第二アームの回動によりケース体に近接させて、遊技者の注意を惹かない場所に回動（退避）させることができる。
【先行技術文献】
【特許文献】
【０００５】
【特許文献１】特開２００９−１１６８１号公報
【発明の概要】
【発明が解決しようとする課題】
【０００６】
しかしながら、特許文献１に記載の技術においては、第一アーム及び第二アームは、四節平行リンク機構を構成する一対のリンク部材であるので、回動しても相互に平行な関係が維持されるものである。また、第一アーム及び第二アームは、略同一形状（略直線状）に形成されている。従って、可動体をケース体（基体）に近接させる方向（第一アーム及び第二アームとケース体との成す角度が小さくなる方向）へ第一アーム及び第二アームを回動させる場合、第一アーム及び第二アームとケース体との成す角度が所定の角度となると、一方のアームが他方のアーム（より詳細には、他方のアームのケース体側の回動軸）に干渉することとなり、それ以上第一アーム及び第二アームを回動させることができなかった。
【０００７】
ここで、可動体を、よりケース体に近接させる方向へ第一アーム及び第二アームを回動させるためには、第一アームと第二アームとの間に形成される角度が前記所定の角度となっても一方のアームが他方のアームに干渉しないように形成する必要がある。
例えば、第一アームと第二アームとの間の距離を長く設定して、一方のアームが他方のアームに干渉する場合に、一方のアームのうち、より可動体に近い部分（ケース体から遠い部分）が、他方のアームに干渉するように形成する方法がある。
【０００８】
しかしながら、前記方法では、第一アーム及び第二アームの間（配置方向）の距離が長くなるので、第一アーム及び第二アームが配置される領域が、第一アーム及び第二アームの配置方向に大きくなるという問題点があった。
【０００９】
本発明は、上記のような問題点に鑑みてなされたものであり、その解決しようとする課題は、可動体を基体に近接させる方向へ回動する際に、第一アーム及び第二アームと基体との成す角度を、従来のものと比較して小さくすることができ、且つ第一アーム及び第二アームが配置される領域を小さくして、第一アーム及び第二アームをコンパクトに配置することができる遊技機の可動体支持構造を提供するものである。
【課題を解決するための手段】
【００１０】
本発明の解決しようとする課題は以上の如くであり、次にこの課題を解決するための手段を説明する。
【００１１】
即ち、請求項１においては、一方の端部が第一回動軸を介して基体に回動自在に軸支され、他方の端部が第二回動軸を介して可動体に回動自在に軸支される第一アームと、前記第一アームに対向して配置され、一方の端部が第三回動軸を介して前記基体に回動自在に軸支され、他方の端部が第四回動軸を介して前記可動体に回動自在に軸支される第二アームとを有し、前記可動体を前記基体に対して往復移動可能に支持する四節平行リンク機構を具備し、前記基体に対して前記第一アーム及び第二アームが、前記第二アーム側である第一方向に回動することで前記可動体が待機位置から作動位置に移動し、前記第一アーム側であって前記第一方向と反対方向である第二方向に回動することで前記可動体が前記作動位置から前記待機位置に移動する、可動体の支持構造であって、前記第一アームは、前記第一回動軸を軸支する第一回動軸支部と、前記第一回動軸及び第二回動軸の間に配置されて前記第二アームの反対側へ向けて凸となるように曲成された第一アーム曲成部と、を有し、第二アームは、前記第四回動軸を軸支する第四回動軸支部と、前記第三回動軸及び第四回動軸の間に配置されて前記第一アームの反対側へ向けて凸となるように曲成された第二アーム曲成部と、を有し、前記可動体が前記待機位置に位置する待機状態において、前記第一回動軸と前記第二回動軸とを結んだ直線状であって短手方向の幅を前記第一アームの短手方向の幅と同一幅として設定される仮想第一アーム領域に前記第二アームの前記第四回動軸支部を重複させ、この重複する領域の前記第一アーム側の外形に沿って前記第一アームの前記第一アーム曲成部を形成し、前記第三回動軸と前記第四回動軸とを結んだ直線状であって短手方向の幅を前記第二アームの短手方向の幅と同一幅として設定される仮想第二アーム領域に前記第一アームの前記第一回動軸支部を重複させ、この重複する領域の前記第二アーム側の外形に沿って前記第二アームの前記第二アーム曲成部を形成し、前記第一アームの前記第二アーム側の外形と、前記第二アームの前記第一アーム側の外形と、を全体として相互に沿うような形状に形成するものである。
【発明の効果】
【００１２】
本発明の効果として、以下に示すような効果を奏する。
【００１３】
請求項１においては、可動体を基体に近接させる方向へ回動する際に、第一アーム及び第二アームと基体との成す角度を、従来のものと比較して小さくすることができ、且つ第一アーム及び第二アームが配置される領域を小さくして、第一アーム及び第二アームをコンパクトに配置することができる。
【図面の簡単な説明】
【００１４】
【図１】本発明の一実施形態に係る可動体支持構造を採用した可動役物装置を備える遊技機の全体的な構成を示した正面図。
【図２】同じく、遊技機の窓枠が開放された状態の構成を示した正面斜視図。
【図３】同じく、遊技盤の構成を示した正面図。
【図４】第一実施形態に係る可動体支持構造を採用した可動役物装置の構成を示した正面分解斜視図。
【図５】（ａ）同じく、可動体が作動位置における第一アーム及び第二アームの構成を示した正面図。（ｂ）同じく、可動体が作動位置における第一アーム及び第二アームの構成を示した背面図。
【図６】同じく、作動位置における可動体の構成を示した正面分解図。
【図７】（ａ）第一実施形態に係る可動体支持構造を採用した可動役物装置の、可動体が待機位置における構成を示した正面図。（ｂ）第一実施形態に係る可動体支持構造を採用した可動役物装置の、可動体が作動位置における構成を示した正面図。
【図８】（ａ）同じく、可動体が待機位置における可動役物装置、特に駆動機構の構成を示した正面模式図。（ｂ）同じく、可動体が作動位置における可動役物装置、特に駆動機構の構成を示した正面模式図。
【図９】（ａ）同じく、可動体が待機位置における可動役物装置の構成を示した背面模式図。（ｂ）同じく、可動体が作動位置における可動役物装置の構成を示した背面模式図。
【図１０】（ａ）同じく、可動体が待機位置における第一駆動機構の構成を示した正面模式図。（ｂ）同じく、可動体が待機位置と作動位置との間を移動中における第一駆動機構の構成を示した正面模式図。（ｃ）同じく、可動体が作動位置における第一駆動機構の構成を示した正面模式図。
【図１１】（ａ）同じく、可動体が待機位置における第一駆動機構の構成を示した背面模式図。（ｂ）同じく、可動体が待機位置と作動位置との間を移動中における第一駆動機構の構成を示した背面模式図。（ｃ）同じく、可動体が作動位置における第一駆動機構の構成を示した背面模式図。
【図１２】（ａ）同じく、可動体が作動位置における第二駆動機構の構成を示した背面模式図。（ｂ）同じく、可動体が待機位置と作動位置との間を移動中における第二駆動機構の構成を示した背面模式図。（ｃ）同じく、可動体が作動位置における第一駆動機構の構成を示した背面模式図。
【図１３】同じく、可動体が待機位置における第一アーム及び第二アームの構成を示した正面模式図。
【図１４】（ａ）同じく、可動体が待機位置における第一アームの仮想第一アーム領域の構成を示した正面模式図。（ｂ）同じく、仮想第一アーム領域と第二アームとの重複部分の構成を示した正面模式図。（ｃ）同じく、図１４（ｂ）における一部拡大図。
【図１５】（ａ）同じく、可動体が待機位置における第二アームの仮想第二アーム領域の構成を示した正面模式図。（ｂ）同じく、仮想第二アーム領域と第一アームとの重複部分の構成を示した正面模式図。（ｃ）同じく、図１５（ｂ）における一部拡大図。
【図１６】（ａ）同じく、可動体が待機位置における第一アーム及び第二アームの配置構成を示した正面模式図。（ｂ）可動体が待機位置における従来の第一アーム及び第二アームの配置構成の一例を示した正面模式図。（ｃ）可動体が待機位置における従来の第一アーム及び第二アームの配置構成の別例を示した正面模式図。
【図１７】（ａ）第二実施形態に係る可動体支持構造を採用した可動役物装置の第一アーム及び第二アームの配置構成を示した正面模式図。（ｂ）第二実施形態に係る可動体支持構造を採用した可動役物装置の仮想第二アーム領域と第一アームとの重複部分の構成を示した正面模式図。
【発明を実施するための形態】
【００１５】
まず、本発明に係る構造の一実施（第一実施）形態である可動体支持構造を採用した可動役物装置１００を備える遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１６】
遊技機１は、図１及び図２が示すように、主として、外枠２と、中枠３と、窓枠４と、により構成される枠体に、各種の遊技部品が取り付けられて形成される。
【００１７】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１８】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１９】
遊技盤５は、略平板状に形成される部材である。遊技盤５は、中枠３の下側を除く略全面に渡って配置される。遊技盤５は、中枠３に着脱自在に取り付けられる。遊技盤５の前側面には、遊技球が転動する領域である遊技領域１９が形成される（図３参照）。
【００２０】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００２１】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００２２】
次に、遊技盤５の構成について、図３を用いてさらに詳細に説明する。
【００２３】
遊技盤５には、ガイドレール１０と、図柄表示装置１１と、図柄表示開口部１２と、一般入賞口１３と、大入賞装置１４と、可変入賞装置１５と、アウト口１６と、可動役物装置１００と、が設けられる。
【００２４】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２５】
図柄表示装置１１は、液晶画面２０を設けて、当該液晶画面２０に図柄や数字等を変動表示可能に構成される装置である。図柄表示装置１１は、液晶画面２０を前方へ向けた状態で、遊技盤５の後側面に取り付けられる。
【００２６】
図柄表示開口部１２は、遊技者が前方から図柄表示装置１１の液晶画面２０を視認するための開口部である。図柄表示開口部１２は、正面視で遊技領域１９の概ね中央で、遊技盤５を前後方向に貫通して形成される。図柄表示開口部１２には、図柄表示装置１１の液晶画面２０が配置される。これによって、遊技者は、前方から図柄表示開口部１２を通じて遊技盤５の後側面に取り付けられた図柄表示装置１１の液晶画面２０を視認することができる。
【００２７】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２８】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００２９】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００３０】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００３１】
次に、可動役物装置１００の構成について詳細に説明する。
【００３２】
図３に示すように、可動役物装置１００は、遊技領域１９の上部であって液晶画面２０の上方に配置される。可動役物装置１００は、可動体６０をケース体３０に対して往復回動可能に支持することによって遊技者に視覚的な印象（インパクト）を与え、その遊技者の興趣を高める装置である。より詳細には、可動役物装置１００は、可動体６０を、可動役物装置１００の本体に近接させた位置であって液晶画面２０の上方となる（図中の実線で示す）位置（以下では、「待機位置」と称する。）と、可動役物装置１００の本体から下方に離間させた位置であって液晶画面２０の前方となる（図中の二点鎖線で示す）位置（以下では、「作動位置」と称する。）と、の間を、遊技機１の遊技演出に応じて往復回動可能に支持している。図４に示すように、可動役物装置１００は、主として、ケース体３０と、第一アーム４０と、第二アーム５０と、可動体６０と、第一駆動機構８０と、第二駆動機構９０と、により構成される。
【００３３】
次に、可動役物装置１００のケース体３０の構成について説明する。
【００３４】
図４に示すケース体３０は、本発明に係る可動体支持構造の基体を成す構造物である。ケース体３０には、可動役物装置１００を構成する各部材が取り付けられる。ケース体３０は、正面視で左右方向に延設された細長い概ね矩形の筐体として形成される。ケース体３０は、ケース体３０の前部を成すケース体前部３１と、ケース体３０の後部を成すケース体後部３２と、により構成される。
【００３５】
次に、可動役物装置１００の第一アーム４０の構成について説明する。
なお、以下では、可動体６０を作動位置に支持した状態の第一アーム４０を想定して、その配置構成を説明する。
【００３６】
図４、図５、及び図７から図９までに示す第一アーム４０は、第二アーム５０とともに可動体６０を支持するための湾曲した細長い概ね棒状の部材である。第一アーム４０の上端部には、前後方向に貫通した第一アーム上側貫通孔４１が穿孔される。また、第一アーム４０の下端部には、前後方向に貫通した第一アーム下側貫通孔４２が穿孔される。そして、第一アーム４０の上端部は、第一アーム上側貫通孔４１に挿通された第一回動軸４１ａを介して、ケース体３０の左右略中央であって当該ケース体３０の後側面に回動自在に軸支される。なお、第一回動軸４１ａは、ケース体３０の後側面と、第一アーム４０の上端部の後方に配置された基板取付板３３と、の間で軸心方向を前後方向として支持される。また、第一アーム４０の下端部は、第一アーム下側貫通孔４２に挿通された第二回動軸４２ａを介して、可動体６０（より詳細には、可動体上部６１の上部突出部６４）の後側面に回動自在に軸支される。なお、第二回動軸４２ａは、可動体上部６１の上部突出部６４の後側面と、第一アーム４０の下端部の後方に配置された回動軸支板７４と、の間で軸心方向を前後方向として支持される。
【００３７】
また、第一アーム４０の下端部には、左下方へ向けて延出された第一アーム延出部４３が形成される。第一アーム延出部４３は、第一アーム４０を可動体６０（より詳細には、可動体左足部６２）に連動連結させるためのものである。第一アーム延出部４３の先端部（下端部）には、円筒状に形成された第一アームボス部４６が、軸心方向を前後方向として後方へ向けて突出される。
【００３８】
次に、可動役物装置１００の第二アーム５０の構成について説明する。
なお、以下では、可動体６０を作動位置に支持した状態の第二アーム５０を想定して、その配置構成を説明する。
【００３９】
図４、図５、及び図７から図９までに示す第二アーム５０は、第一アーム４０とともに可動体６０を支持するための湾曲した細長い概ね棒状の部材である。第二アーム５０は、第一アーム４０から所定の間隔をあけて当該第一アーム４０の右方に配置される。第二アーム５０の上端部には、前後方向に貫通した第二アーム上側貫通孔５１が穿孔される。また、第二アーム５０の下端部には、前後方向に貫通した第二アーム下側貫通孔５２が穿孔される。そして、第二アーム５０の上端部は、第二アーム上側貫通孔５１に挿通された第三回動軸５１ａを介して、ケース体３０の左右略中央から若干右方であって当該ケース体３０の後側面に回動自在に軸支される。なお、第三回動軸５１ａは、第一アーム４０の第一回動軸４１ａと略同一の高さに配置されるとともに、ケース体３０の後側面を貫通して、ケース体３０の前側面と基板取付板３３との間で、軸心方向を前後方向として支持される。また、第二アーム５０の下端部は、第二アーム下側貫通孔５２に挿通された第四回動軸５２ａを介して、可動体６０（より詳細には、可動体上部６１の上部突出部６４）の後側面に回動自在に軸支される。なお、第四回動軸５２ａは、第一アーム４０の第二回動軸４２ａと略同一の高さに配置されるとともに、上部突出部６４の後側面と回動軸支板７４との間で軸心方向を前後方向として支持される。
【００４０】
ここで、第一アーム４０と第二アーム５０とは、互いに対向して配置された一対のリンク部材として四節平行リンク機構を構成するものである。従って、第一回動軸４１ａ、第二回動軸４２ａ、第三回動軸５１ａ、及び第四回動軸５２ａは、正面視で平行四辺形の頂点に相当する位置にそれぞれ配置される。
なお、第一アーム４０及び第二アーム５０の構成についての詳細な説明は後述する。
【００４１】
次に、可動役物装置１００の可動体６０の構成について説明する。
なお、以下では、特に説明がなければ、作動位置に支持された状態の可動体６０を想定して、その配置構成を説明する。
【００４２】
図４、及び図６から図９までに示す可動体６０は、遊技機１の遊技演出に応じて待機位置と作動位置との間を往復回動し、遊技者に視覚的な印象を与え、その遊技者の興趣を高める部材である。可動体６０は、待機位置と作動位置との間を往復回動するとともに変形するように構成され、作動位置においては正面視で漢字の「大」を模した形状に変形される。可動体６０は、ケース体３０の下方に配置される。可動体６０は、主として、可動体上部６１と、可動体右足部６３と、可動体左足部６２と、により構成される。
【００４３】
可動体上部６１は、正面視で左右方向に細長い概ね矩形の箱状の部材である。可動体上部６１は、正面視で漢字の「大」のうち一画目の軌跡を模した形状として形成される。可動体上部６１の左右略中央には、上方へ向けて突出した上部突出部６４が形成される。可動体上部６１の前側面には、透光性部材６５が適宜配設される。可動体上部６１内には、ＬＥＤ（不図示）が配設され、透光性部材６５を介して前方を照射することができる。
【００４４】
可動体左足部６２は、下方へ延出されるに従い左方へ湾曲して、さらには正面視で短手方向幅が広くなるように形成される細長い箱状の部材である。可動体左足部６２は、正面視で漢字の「大」のうち二画目の軌跡を模した形状として形成される。可動体左足部６２の前側面には、透光性部材６５が適宜配設される。可動体左足部６２内には、ＬＥＤ（不図示）が配設され、透光性部材６５を介して前方を照射することができる。
【００４５】
可動体左足部６２の上端部には、上方へ向けて突出した左足軸支部６６が形成される。左足軸支部６６は、可動体左足部６２を可動体上部６１に軸支するためのものである。左足軸支部６６の上端部には、前後方向に貫通した左足貫通孔６７が穿孔される。可動体左足部６２の上端部は、左足貫通孔６７に挿通された左足回動軸６７ａを介して、可動体上部６１の後側面に回動自在に軸支される。なお、左足回動軸６７ａは、第二回動軸４２ａの下方で、可動体上部６１の後側面と回動軸支板７４との間で軸心方向を前後方向として支持される。
【００４６】
なお、可動体左足部６２は、可動体６０が作動位置から待機位置へ回動する場合には、正面視右回り（時計回り）に回動して、当該可動体左足部６２の先端部（作動位置における下端部）を概ね左方へ向けた状態で配置される。
【００４７】
また、左足軸支部６６の上端部には、概ね左方へ向けて突出した左足突出部６８が形成される。左足突出部６８は、可動体左足部６２を第一アーム４０に連動連結させるためのものである。左足突出部６８の先端部には、円筒状に形成された左足ボス部７２が、軸心方向を前後方向として後方へ向けて突出される。
【００４８】
また、左足軸支部６６の上端部には、平歯車の一部を切り取った形状である左足歯車部６９が形成される。左足歯車部６９は、可動体左足部６２を可動体右足部６３に連動連結させるためのものである。左足歯車部６９は、右上方へ向けた円弧状に歯車が形成され、その軸心が左足貫通孔６７の軸心と重複するように形成される。
【００４９】
可動体右足部６３は、下方へ延出されるに従い右方へ湾曲して、さらには正面視で短手方向幅が広くなるように形成される細長い箱状の部材である。可動体右足部６３は、正面視で漢字の「大」のうち三画目の軌跡を模した形状として形成される。可動体右足部６３の前側面には、透光性部材６５が適宜配設される。可動体右足部６３内には、ＬＥＤ（不図示）が配設され、透光性部材６５を介して前方を照射することができる。
【００５０】
可動体右足部６３の上端部には、上方へ向けて突出した右足軸支部７３が形成される。右足軸支部７３は、可動体右足部６３を可動体上部６１に軸支するためのものである。右足軸支部７３の上端部には、前後方向に貫通した右足貫通孔７０が穿孔される。可動体右足部６３の上端部は、右足軸支部７３の右足貫通孔７０に挿通された右足回動軸７０ａを介して、可動体上部６１の後側面に回動自在に軸支される。なお、右足回動軸７０ａは、第四回動軸５２ａの下方で、可動体上部６１の後側面と回動軸支板７４との間で軸心方向を前後方向として支持される。
【００５１】
なお、可動体右足部６３は、可動体６０が作動位置から待機位置へ回動する場合には、正面視左回り（反時計回り）に回動して、当該可動体右足部６３の先端部（作動位置における下端部）を概ね右方へ向けた状態で配置される。
【００５２】
また、右足軸支部７３の上端部には、平歯車の一部を切り取った形状である右足歯車部７１が形成される。右足歯車部７１は、可動体右足部６３を可動体左足部６２に連動連結させるためのものである。右足歯車部７１は、左上方へ向けた円弧状に歯車が形成され、その軸心が右足貫通孔７０の軸心と重複するように形成される。
なお、右足歯車部７１の歯車は、左足歯車部６９の歯車と同一形状であって、同一の歯数を有している。そして、右足歯車部７１の歯車は、左足歯車部６９の歯車に歯合されている。
【００５３】
上述の如く構成された可動体上部６１、可動体左足部６２、及び可動体右足部６３によって、可動体６０は、作動位置において、正面視で漢字の「大」を模した形状となる。より詳細には、可動体左足部６２及び可動体右足部６３が、左右に隣接して可動体上部６１の左右略中央に配置される。そして、可動体左足部６２の左足軸支部６６及び可動体右足部６３の右足軸支部７３は、正面視で可動体上部６１の背後（後方）に配置される。従って、前方から可動体６０を視認した場合、可動体左足部６２の左足軸支部６６及び可動体右足部６３の右足軸支部７３は視認されず、正面視で可動体上部６１、可動体左足部６２、及び可動体右足部６３の露出している部分の組み合わせによって可動体６０の外縁形状（外観）が、漢字の「大」を模した形状となる。
【００５４】
一方、可動体６０は、待機位置において、正面視で左右に細長い概ね矩形の形状となる（正面視で漢字の「大」を模した形状とならない。）。より詳細には、可動体左足部６２の先端部及び可動体右足部６３の先端部が、それぞれ左右方へ向けて配置される。そして、可動体左足部６２の先端部及び可動体右足部６３の先端部が、それぞれ可動体上部６１の左右端部から正面視で外方へ向けて突出するように配置される。従って、前方から可動体６０を視認した場合、正面視で可動体上部６１、可動体左足部６２、及び可動体右足部６３の露出している部分の組み合わせによって可動体６０の外縁形状（外観）が、左右に細長い概ね矩形の形状となる。
【００５５】
次に、可動役物装置１００の第一駆動機構８０の構成について説明する。
なお、以下では、特に説明がなければ、可動体６０が作動位置に支持された状態の第一駆動機構８０を想定して、その配置構成を説明する。
【００５６】
図４、図８及び図９に示す第一駆動機構８０は、可動体６０を回動させるため駆動力を第一アーム４０及び第二アーム５０に伝達するための機構である。第一駆動機構８０は、正面視でケース体３０の概ね右部に配置される。第一駆動機構８０は、主として、モータ８１と、第一駆動歯車８２と、第二駆動歯車８３と、第一駆動アーム８４と、駆動伝達板８５と、により構成される。
【００５７】
モータ８１は、可動体６０を回動させるための駆動源である。モータ８１は、ケース体３０の右端部であって当該ケース体３０の後方に配置される。モータ８１は、その本体がケース体３０の後側面に後方から固定され、出力軸８１ａが軸心方向を前後方向としてケース体３０内（前方）に突出される。
【００５８】
第一駆動歯車８２は、モータ８１からの駆動力が伝達される平歯車である。第一駆動歯車８２は、ケース体３０内にてモータ８１の前方に配置される。第一駆動歯車８２の中心部には、モータ８１の出力軸８１ａの前端が相対回転不能に固定される。
【００５９】
第二駆動歯車８３は、第一駆動歯車８２に伝達された駆動力が、次に伝達される平歯車である。第二駆動歯車８３は、ケース体３０内にて第一駆動歯車８２の左上方に配置される。第二駆動歯車８３は、その中心部に挿通された第二駆動歯車回転軸８３ａを介して回転自在に軸支される。なお、第二駆動歯車回転軸８３ａは、ケース体３０内にて軸心方向を前後方向として支持される。第二駆動歯車８３の外周の略半分には、歯車が形成される。第二駆動歯車８３の歯車は、第一駆動歯車８２の歯車に歯合されている。
【００６０】
また、第二駆動歯車８３の前面側には、第二駆動歯車８３の軸心から所定距離だけ離れた位置に、円筒状に形成された第二駆動歯車ボス部８６が、軸心方向を前後方向として前方へ向けて突出される。なお、第二駆動歯車ボス部８６は、可動体６０が待機位置においては、第二駆動歯車８３の軸心から左方に配置され、可動体６０が作動位置においては、前記左方の配置から正面視右回り（時計回り）に回動され、第二駆動歯車８３の軸心から右上方に配置される。
【００６１】
第一駆動アーム８４は、第二駆動歯車８３に伝達された駆動力が、次に伝達される細長い板状の部材である。第一駆動アーム８４は、ケース体３０内にて第二駆動歯車８３の概ね上部前方に配置される。また、第一駆動アーム８４は、長手方向を概ね左右方向とし、右端部が下方へ向けて湾曲し、左端部が上方へ向けて湾曲して形成される。第一駆動アーム８４の右端部には、前後方向に貫通した右側貫通孔８４ａが穿孔される。また、第一駆動アーム８４の左端部には、前後方向に貫通した左側貫通孔８４ｂが穿孔される。そして、第一駆動アーム８４の右端部は、右側貫通孔８４ａに後方から第二駆動歯車８３の第二駆動歯車ボス部８６が挿通され、当該第二駆動歯車ボス部８６の前端部が座金とともにネジ止めされることによって回動自在に軸支される。
【００６２】
駆動伝達板８５は、第一駆動アーム８４に伝達された駆動力が、次に伝達されるとともに、その駆動力を第二アーム５０に伝達する概ね楕円形の板状の部材である。駆動伝達板８５は、ケース体３０内にて第一駆動アーム８４の後方であって概ね左上方に配置される。また、駆動伝達板８５は、長手方向を概ね左上右下の斜め方向として配置される。
【００６３】
駆動伝達板８５の下端部には、円筒状に形成された伝達板ボス部８７が、軸心方向を前後方向として前方へ向けて突出される。そして、伝達板ボス部８７は、第一駆動アーム８４の左側貫通孔８４ｂに後方から挿通され、当該伝達板ボス部８７の前端部が座金とともにネジ止めされることによって、第一駆動アーム８４の左端部が回動自在に軸支される。
【００６４】
駆動伝達板８５の上端部には、前後方向に貫通した伝達板貫通孔８８が穿孔される。そして、駆動伝達板８５の上端部は、伝達板貫通孔８８に挿通された（第二アーム５０の上端部を軸支している）第三回動軸５１ａを介して、ケース体３０内に回動自在に軸支される。
また、駆動伝達板８５の上端部は、第二アーム５０の上端部に相対回転不能に嵌合される。つまり、同一の回動軸（第三回動軸５１ａ）により回動自在に軸支された駆動伝達板８５と第二アーム５０とは、第三回動軸５１ａを中心として一体的に回動するように形成される。
【００６５】
次に、上述の如く構成された第一駆動機構８０の動作態様について、図１０及び図１１を用いて説明する。
【００６６】
先ず、待機位置に支持された状態の可動体６０を作動位置へ回動させるための駆動力を第一アーム４０及び第二アーム５０に伝達する場合の第一駆動機構８０の動作態様について説明する。
なお、かかる場合、第一駆動機構８０の動作態様は、図１０及び図１１の（ａ）、（ｂ）、（ｃ）と順番に変化していくこととなる（図中の白抜き矢印参照）。
【００６７】
モータ８１の出力軸８１ａから出力された駆動力は、次に第一駆動歯車８２に伝達される。第一駆動歯車８２は、正面視左回り（反時計回り）に回転する。第一駆動歯車８２に伝達された駆動力は、第二駆動歯車８３に伝達される。第二駆動歯車８３は、第一駆動歯車８２の回転に応じて、正面視右回り（時計回り）に回転する。また、第二駆動歯車８３の回転とともに、第二駆動歯車ボス部８６が、第二駆動歯車８３の軸心を中心として正面視右回り（時計回り）に回動する。
【００６８】
第二駆動歯車８３に伝達された駆動力は、次に第一駆動アーム８４に伝達される。第一駆動アーム８４は、第二駆動歯車８３の第二駆動歯車ボス部８６の回動に応じて、第一駆動アーム８４の右端部が当該第二駆動歯車ボス部８６の回動軌跡に沿って移動し、長手方向を概ね左右方向として回動しながら全体として右方へ移動する。
【００６９】
第一駆動アーム８４に伝達された駆動力は、次に駆動伝達板８５に伝達される。駆動伝達板８５は、第一駆動アーム８４の移動に応じて、上端部の伝達板貫通孔８８に挿通された第三回動軸５１ａの軸心を中心として正面視左回り（反時計回り）に回動する。
【００７０】
駆動伝達板８５に伝達された駆動力は、次に第二アーム５０に伝達される。第二アーム５０は、駆動伝達板８５の回動に応じて、第二アーム上側貫通孔５１に挿通された第三回動軸５１ａの軸心を中心として正面視左回り（反時計回り）に回動する。
【００７１】
このように、モータ８１の出力軸８１ａから出力された駆動力は、第一駆動歯車８２、第二駆動歯車８３、第一駆動アーム８４、駆動伝達板８５、第二アーム５０へと順番に伝達される。そして、第一駆動機構８０によって第二アーム５０に伝達された駆動力は、回動軸支板７４を介して第一アーム４０に伝達される。即ち、第二アーム５０とともに回動軸支板７４に軸支されて、互いに対向して配置された一対のリンク部材として四節平行リンク機構を構成する第一アーム４０が、第二アーム５０の回動に応じて、第一アーム上側貫通孔４１に挿通された第一回動軸４１ａの軸心を中心として正面視左回り（反時計回り）に回動する。その結果、畳まれた状態の第一アーム４０及び第二アーム５０が展開し、待機位置に支持された状態の可動体６０が、左右方向の姿勢を維持したまま作動位置へと回動される。
【００７２】
次に、作動位置に支持された状態の可動体６０を待機位置へ回動させるための駆動力を第一アーム４０及び第二アーム５０に伝達する場合の第一駆動機構の動作態様について説明する。
なお、かかる場合、第一駆動機構８０の動作態様は、図１０及び図１１の（ｃ）、（ｂ）、（ａ）と順番に変化していくこととなる（図中の黒塗り矢印参照）。
【００７３】
モータ８１の出力軸８１ａから出力された駆動力は、次に第一駆動歯車８２に伝達される。第一駆動歯車８２は、正面視右回り（時計回り）に回転する。第一駆動歯車８２に伝達された駆動力は、第二駆動歯車８３に伝達される。第二駆動歯車８３は、第一駆動歯車８２の回転に応じて、正面視左回り（反時計回り）に回転する。また、第二駆動歯車８３の回転とともに、第二駆動歯車ボス部８６が、第二駆動歯車８３の軸心を中心として正面視左回り（反時計回り）に回動する。
【００７４】
第二駆動歯車８３に伝達された駆動力は、次に第一駆動アーム８４に伝達される。第一駆動アーム８４は、第二駆動歯車８３の第二駆動歯車ボス部８６の回動に応じて、第一駆動アーム８４の右端部が当該第二駆動歯車ボス部８６の回動軌跡に沿って移動し、全体として長手方向を概ね左右方向として回動しながら左方へ移動する。
【００７５】
第一駆動アーム８４に伝達された駆動力は、次に駆動伝達板８５に伝達される。駆動伝達板８５は、第一駆動アーム８４の移動に応じて、上端部の伝達板貫通孔８８に挿通された第三回動軸５１ａの軸心を中心として正面視右回り（時計回り）に回動する。
【００７６】
駆動伝達板８５に伝達された駆動力は、次に第二アーム５０に伝達される。第二アーム５０は、駆動伝達板８５の回動に応じて、第二アーム上側貫通孔５１に挿通された第三回動軸５１ａの軸心を中心として正面視右回り（時計回り）に回動する。
【００７７】
このように、モータ８１の出力軸８１ａから出力された駆動力は、第一駆動歯車８２、第二駆動歯車８３、第一駆動アーム８４、駆動伝達板８５、第二アーム５０へと順番に伝達される。そして、第一駆動機構８０によって第二アーム５０に伝達された駆動力は、回動軸支板７４を介して第一アーム４０に伝達される。即ち、第二アーム５０とともに回動軸支板７４に軸支されて、互いに対向して配置された一対のリンク部材として四節平行リンク機構を構成する第一アーム４０が、第二アーム５０の回動に応じて、第一アーム上側貫通孔４１に挿通された第一回動軸４１ａの軸心を中心として正面視右回り（時計回り）に回動する。その結果、展開された状態の第一アーム４０及び第二アーム５０が畳まれた状態に移行し、作動位置に支持された状態の可動体６０が、左右方向の姿勢を維持したまま待機位置へと回動される。
【００７８】
次に、可動役物装置１００の第二駆動機構９０の構成について説明する。
なお、以下では、特に説明がなければ、可動体６０が作動位置に支持された状態の第二駆動機構９０を想定して、その配置構成を説明する。
【００７９】
図４、図８及び図９に示す第二駆動機構９０は、可動体６０を回動させるために第二アーム５０に伝達された駆動力を当該可動体６０に伝達して、可動体６０の待機位置から作動位置（または、作動位置から待機位置）への回動とともに当該可動体６０を変形させるための機構である。第二駆動機構９０は、可動体６０の可動体上部６１の後方であって、左右略中央に配置される。第二駆動機構９０は、主として、第二駆動アーム９１と、上述の如く構成された可動体左足部６２の左足軸支部６６と、上述の如く構成された可動体右足部６３の右足軸支部７３と、により構成される。
【００８０】
第二駆動アーム９１は、第二アーム５０に伝達された駆動力を可動体左足部６２に伝達するための細長い板状の部材である。第二駆動アーム９１は、可動体上部６１の左右略中央から左方であって、第一アーム４０の第一アーム延出部４３及び可動体左足部６２の左足突出部６８の後方にて、長手方向を概ね上下方向として配置される。第二駆動アーム９１の上端部には、前後方向に貫通した第二駆動アーム上側貫通孔９１ａが穿孔される。また、第二駆動アーム９１の下端部には、前後方向に貫通した第二駆動アーム下側貫通孔９１ｂが穿孔される。そして、第二駆動アーム９１の上端部は、第二駆動アーム上側貫通孔９１ａに前方から第一アーム４０の第一アームボス部４６が挿通され、当該第一アームボス部４６の後端部が座金とともにネジ止めされることによって回動自在に軸支される。また、第二駆動アーム９１の下端部は、第二駆動アーム下側貫通孔９１ｂに前方から可動体左足部６２の左足ボス部７２が挿通され、当該左足ボス部７２の後端部が座金とともにネジ止めされることによって回動自在に軸支される。
【００８１】
次に、上述の如く構成された第二駆動機構９０の動作態様について、図１２を用いて説明する。
【００８２】
先ず、作動位置に支持された状態の可動体６０を待機位置へ回動させるための駆動力が第一アーム４０及び第二アーム５０に伝達された場合の第二駆動機構９０の動作態様について説明する。
なお、かかる場合、第二駆動機構９０の動作態様は、図１２の（ａ）、（ｂ）、（ｃ）と順番に変化していくこととなる（図中の白抜き矢印参照）。
【００８３】
第一駆動機構８０によって第一アーム４０及び第二アーム５０に伝達された駆動力は、次に第二駆動アーム９１に伝達される。第二駆動アーム９１は、第一アーム４０の第一アームボス部４６の回動に応じて、第二駆動アーム９１の上端部が当該第一アームボス部４６の回動軌跡に沿って移動し、長手方向を概ね上下方向として回動しながら、回動軸支板７４（可動体上部６１）に対して全体として上方へ移動する。
【００８４】
第二駆動アーム９１に伝達された駆動力は、次に可動体左足部６２の左足軸支部６６に伝達される。即ち、第二駆動アーム９１が可動体上部６１に対して全体として上方へ移動すると、左足突出部６８とともに左足軸支部６６が左足貫通孔６７に挿通された左足回動軸６７ａの軸心を中心として背面視左回り（反時計回り）に回動する。
このように、左足軸支部６６に駆動力が伝達されると、可動体左足部６２が左足回動軸６７ａの軸心を中心として背面視左回り（反時計回り）に回動する。
【００８５】
また、左足軸支部６６に伝達された駆動力は、次に右足軸支部７３に伝達される。即ち、左足軸支部６６の回動とともに、左足軸支部６６の左足歯車部６９が左足回動軸６７ａの軸心とともに背面視左回り（反時計回り）に回動する。そして、左足歯車部６９の回動に応じて、右足軸支部７３の右足歯車部７１が右足貫通孔７０に挿通された右足回動軸７０ａの軸心を中心として背面視右回り（時計回り）に回動する。そして、右足歯車部７１の回動とともに、右足軸支部７３が右足回動軸７０ａの軸心を中心として背面視右回り（時計回り）に回動する。
このように、右足軸支部７３に駆動力が伝達されると、可動体右足部６３が右足回動軸７０ａの軸心を中心として背面視右回り（時計回り）に回動する。
【００８６】
このように、第一駆動機構８０によって第一アーム４０及び第二アーム５０に伝達された駆動力は、第二駆動アーム９１、左足軸支部６６、右足軸支部７３へと順番に伝達される。そして、第二駆動機構９０は、第一駆動機構８０によって第一アーム４０及び第二アーム５０に駆動力が伝達されている間、換言すれば、可動体６０が作動位置に支持された状態から待機位置へと回動されている間に、当該第二駆動機構９０からの駆動力によって、可動体左足部６２及び可動体右足部６３を相互に離間する方向へ回動させ、可動体６０を正面視で漢字の「大」を模した形状から左右に細長い概ね矩形の形状となるように変形させる。
【００８７】
次に、待機位置に支持された状態の可動体６０を作動位置へ回動させるための駆動力が第一アーム４０及び第二アーム５０に伝達された場合の第二駆動機構９０の動作態様について説明する。
なお、かかる場合、第二駆動機構９０の動作態様は、図１２の（ｃ）、（ｂ）、（ａ）と順番に変化していくこととなる（図中の黒塗り矢印参照）。
【００８８】
第一駆動機構８０によって第一アーム４０及び第二アーム５０に伝達された駆動力は、次に第二駆動アーム９１に伝達される。第二駆動アーム９１は、第一アーム４０の第一アームボス部４６の回動に応じて、第二駆動アーム９１の上端部が当該第一アームボス部４６の回動軌跡に沿って移動し、長手方向を概ね上下方向として回動しながら、回動軸支板７４（可動体上部６１）に対して全体として下方へ移動する。
【００８９】
第二駆動アーム９１に伝達された駆動力は、次に可動体左足部６２の左足軸支部６６に伝達される。即ち、第二駆動アーム９１が可動体上部６１に対して全体として下方へ移動すると、左足突出部６８とともに左足軸支部６６が左足貫通孔６７に挿通された左足回動軸６７ａの軸心を中心として背面視右回り（時計回り）に回動する。
このように、左足軸支部６６に駆動力が伝達されると、可動体左足部６２が右足回動軸６７ａの軸心を中心として背面視右回り（時計回り）に回動する。
【００９０】
また、左足軸支部６６に伝達された駆動力は、次に右足軸支部７３に伝達される。即ち、左足軸支部６６の回動とともに、左足軸支部６６の左足歯車部６９が左足回動軸６７ａの軸心とともに背面視右回り（時計回り）に回動する。そして、左足歯車部６９の回動に応じて、右足軸支部７３の右足歯車部７１が右足貫通孔７０に挿通された右足回動軸７０ａの軸心を中心として背面視左回り（反時計回り）に回動する。そして、右足歯車部７１の回動とともに、右足軸支部７３が右足回動軸７０ａの軸心を中心として背面視左回り（反時計回り）に回動する。
このように、右足軸支部７３に駆動力が伝達されると、可動体右足部６３が右足回動軸７０ａの軸心を中心として背面視右回り（時計回り）に回動する。
【００９１】
このように、第一駆動機構８０によって第一アーム４０及び第二アーム５０に伝達された駆動力は、第二駆動アーム９１、左足軸支部６６、右足軸支部７３へと順番に伝達される。そして、第二駆動機構９０は、第一駆動機構８０によって第一アーム４０及び第二アーム５０に駆動力が伝達されている間、換言すれば、可動体６０が待機位置に支持された状態から作動位置へと回動されている間に、当該第二駆動機構９０からの駆動力によって、可動体左足部６２及び可動体右足部６３を相互に近接する方向へ回動させ、可動体６０を正面視で左右に細長い概ね矩形の形状から漢字の「大」を模した形状となるように変形させる。
【００９２】
次に、第一アーム４０及び第二アーム５０の構成について、さらに詳細に説明する。
【００９３】
なお、以下では、可動体６０を待機位置に支持した状態の第一アーム４０及び第二アーム５０を想定して、その配置構成を説明する。
【００９４】
図１３に示す第一アーム４０は、湾曲した細長い概ね棒状の部材であり、可動体６０を支持する強度を保つため短手方向に少なくても一定の幅を有して形成される。第一アーム４０は、第二アーム５０側の外形が、第二アーム５０の第一アーム４０側の外形に全体として沿うような形状に形成される。第一アーム４０は、上述にて説明した第一アーム上側貫通孔４１、第一アーム下側貫通孔４２、第一アーム延出部４３、及び第一アームボス部４６の他に、主として、第一回動軸支部４８と、第二回動軸支部４９と、第一アーム下側湾曲部４４と、第一アーム上側湾曲部４５と、を備える。
【００９５】
第一回動軸支部４８は、第一アーム４０において、第一回動軸４１ａを挿通される第一アーム上側貫通孔４１の周囲の部位である。より詳細には、第一回動軸支部４８は、軸心方向を前後方向とした筒状部材４８ａとその周囲の部位４８ｂとにより形成される。第一回動軸支部４８は、第一アーム４０における第一回動軸４１ａの周囲の強度を保つように形成される。
なお、第一アーム４０の前記短手方向の幅（長さ）は、第一回動軸支部４８の筒状部材４８ａの直径の長さと同一に形成される。
【００９６】
第二回動軸支部４９は、第一アーム４０において、第二回動軸４２ａを挿通される第一アーム下側貫通孔４２の周囲の部位である。より詳細には、第二回動軸支部４９は、軸心方向を前後方向とした筒状部材４９ａとその周囲の部位４９ｂとにより形成される。第二回動軸支部４９は、第一アーム４０における第二回動軸４２ａの周囲の強度を保つように形成される。
なお、第二回動軸支部４９の筒状部材４９ａの直径の長さは、第一回動軸支部４８の筒状部材４８ａの直径の長さと同一に形成される。
【００９７】
第一アーム下側湾曲部４４は、第一アーム４０において、第二回動軸支部４９から第一回動軸支部４８側へ行くに従い概ね上方（第二アーム５０の反対側）へ向けて湾曲し、その後に概ね下方（第二アーム５０側）へ向けて湾曲する部位である。
なお、第一アーム下側湾曲部４４の構成についての詳細な説明は後述する。
【００９８】
第一アーム上側湾曲部４５は、第一アーム４０において、第一回動軸支部４８から第二回動軸支部４９側へ行くに従い概ね下方（第二アーム５０側）へ向けて湾曲し、その後に概ね上方（第二アーム５０の反対側）へ向けて湾曲する部位である。第一アーム上側湾曲部４５は、第一アーム下側湾曲部４４よりも上側、即ち第一回動軸支部４８側に形成される。なお、第一アーム上側湾曲部４５は、第一アーム４０の上方に配置された取付孔ピン５ａとの干渉を避けるために当該取付孔ピン５ａの反対側（第二アーム５０側）へ向けて湾曲したものである。
なお、取付孔ピン５ａとは、基板取付板３３（図４参照）をケース体後部３２にねじ止めするためのものである。取付孔ピン５ａの上端部には、基板取付孔３３のねじ孔３３ａに挿通した取付ねじを螺入するためのねじ孔が穿設される。なお、図４の部材５ｂ、５ｃについても、同じく、基板取付板３３をねじ止めするための取付孔ピンである。
【００９９】
図１３に示す第二アーム５０は、湾曲した細長い概ね棒状の部材であり、可動体６０を支持する強度を保つため短手方向に少なくても一定の幅を有して形成される。第二アーム５０は、第一アーム４０側の外形が、第一アーム４０の第二アーム５０側の外形に、全体として沿うような形状に形成される。第二アーム５０は、上述にて説明した第二アーム上側貫通孔５１及び第二アーム下側貫通孔５２の他に、主として、第三回動軸支部５８と、第四回動軸支部５９と、第二アーム湾曲部５３と、を備える。
【０１００】
第三回動軸支部５８は、第二アーム５０において、第三回動軸５１ａを挿通される第二アーム上側貫通孔５１の周囲の部位である。より詳細には、第三回動軸支部５８は、軸心方向を前後方向とした筒状部材５８ａとその周囲の部位５８ｂとにより形成される。第三回動軸支部５８は、第二アーム５０における第三回動軸５１ａの周囲の強度を保つように形成される。
なお、第二アーム５０の前記短手方向の幅（長さ）は、第三回動軸支部５８の筒状部材５８ａの直径の長さと同一に形成される。また、第二アーム５０の前記短手方向の幅（長さ）は、第一アーム４０の前記短手方向の幅（長さ）と同一に形成される。
【０１０１】
第四回動軸支部５９は、第二アーム５０において、第四回動軸５２ａを挿通される第二アーム下側貫通孔５２の周囲の部位である。より詳細には、第四回動軸支部５９は、軸心方向を前後方向とした筒状部材５９ａとその周囲の部位５９ｂとによりに形成される。第四回動軸支部５９は、第二アーム５０における第四回動軸５２ａの周囲の強度を保つように形成される。
なお、第四回動軸支部５９の筒状部材５９ａの直径の長さは、第三回動軸支部５８の筒状部材５８ａの直径の長さと同一に形成される。
【０１０２】
第二アーム湾曲部５３は、第二アーム５０において、第三回動軸支部５８から第四回動軸支部５９側へ行くに従い概ね下方（第一アーム４０の反対側）へ向けて湾曲し、その後に概ね上方（第一アーム４０側）へ向けて湾曲する部位である。
なお、第二アーム湾曲部５３の構成についての詳細な説明は後述する。
【０１０３】
次に、第一アーム４０の第一アーム下側湾曲部４４の構成について詳細に説明する。
【０１０４】
図１４（ａ）及び（ｂ）に示すように、第一アーム下側湾曲部４４は、「仮想第一アーム領域１１０」と第二アーム５０の第四回動軸支部５９との重複する領域（以下では、「第四回動軸支部重複領域１１１」と称する。）の、第一アーム４０側の外形（外周１１１ｃの形状）に沿って形成されるものである。
ここで、「仮想第一アーム領域１１０」とは、図１４において色付き部分として示すように、（湾曲した細長い概ね棒状の部材である）第一アーム４０が、第一回動軸４１ａと第二回動軸４２ａとを結んだ直線状であって、短手方向の幅が第一アーム４０の短手方向の幅と同一に形成されたと仮定した場合に、その仮定した直線状の第一アーム４０が占める領域として設定されるものである。即ち、端的に説明すれば、「仮想第一アーム領域１１０」とは、従来の技術と同様に直線状に形成された第一アーム（以下では、「第一アーム１４０」と称する。）が占める領域を示すものである。
【０１０５】
より詳細には、図１４（ｃ）に示すように、第四回動軸支部重複領域１１１の第一アーム４０側の外形は、第四回動軸支部５９から第三回動軸支部５８側へ行くに従い第一アーム４０側に膨らんだ円弧状であって第一アーム４０側へ湾曲した部位１１１ａ（第四回動軸支部５９における筒状部材５９ａに相当する部位）と、さらに第三回動軸支部５８側へ行くに従い第一アーム４０の反対側へ向けて湾曲する部位１１１ｂ（第四回動軸支部５９における筒状部材５９ａの周囲の部位５９ｂに相当する部位）と、により形成される。
【０１０６】
これに対して、第一アーム下側湾曲部４４は、第二回動軸支部４９から第一回動軸支部４８側へ行くに従い概ね上方（第二アーム５０の反対側）へ向けて湾曲（部位４４ａ）し、その後に概ね下方（第二アーム５０側）へ向けて湾曲(部位４４ｂ)するが、その湾曲した頂点部分４７が、第二アーム５０の第四回動軸支部５９の筒状部材５９ａの概ね上方となる位置に形成される。
【０１０７】
そして、第一アーム４０において、第二回動軸支部４９から第一回動軸支部４８側へ行くに従い概ね上方（第二アーム５０側）へ向けて湾曲する部位４４ａの第二アーム５０側の外周４４ｄと、第四回動軸支部重複領域１１１において、第四回動軸支部５９から第三回動軸支部５８側へ行くに従い第一アーム４０側に膨らんだ円弧状であって第一アーム４０側へ湾曲した部位１１１ａの第一アーム４０側の外周１１１ｄと、が概ね対向して近接するように形成される。
また、第一アーム４０において、第二回動軸支部４９から第一回動軸支部４８側へ行くに従い概ね下方（第二アーム５０側）へ向けて湾曲する部位４４ｂの第二アーム５０側の外周４４ｅと、第四回動軸支部重複領域１１１において、第四回動軸支部５９から第三回動軸支部５８側へ行くに従い第一アーム４０の反対側へ向けて湾曲する部位１１１ｂの第一アーム４０側の外周１１１ｅと、が対向して近接するように形成される。
【０１０８】
上述の如く構成によって、第一アーム下側湾曲部４４は、仮想第一アーム領域１１０と第二アーム５０の第四回動軸支部５９との重複する領域（第四回動軸支部重複領域１１１）の、第一アーム４０側の外形に沿って形成される。
【０１０９】
ここで、第四回動軸支部重複領域１１１とは、上述の如く直線状に形成された第一アーム１４０が占める領域である。換言すれば、第四回動軸支部重複領域１１１とは、従来の技術と同様に第一アーム１４０が用いられた場合に、第二アーム５０が、当該第一アーム１４０と干渉するため、回動させることができない領域である。
【０１１０】
しかしながら、本発明においては、第一アーム下側湾曲部４４は、仮想第一アーム領域１１０と第二アーム５０の第四回動軸支部５９との重複する領域（第四回動軸支部重複領域１１１）の、第一アーム４０側の外形に沿って形成されるので、この第四回動軸支部重複領域１１１において第二アーム５０が第一アーム４０に干渉することがない。また、第一アーム４０は、必要最小限の範囲で第二アーム５０に干渉しないように湾曲されている（第二アーム５０を迂回している）。
なお、第一アーム４０において仮想第一アーム領域１１０と重複しない部分（仮想第一アーム領域１１０と重複せず上側にはみ出た部分）の面積を、第四回動軸支部重複領域１１１の面積に近づけることで、より必要最小限な範囲で第一アーム４０を湾曲させることができる（第二アーム５０を迂回させることができる）。
【０１１１】
次に、第二アーム５０の第二アーム湾曲部５３の構成について詳細に説明する。
【０１１２】
図１５（ａ）及び（ｂ）に示すように、第二アーム湾曲部５３は、「仮想第二アーム領域１２０」と、第一アーム４０の第一回動軸支部４８及び第一アーム上側湾曲部４５と、の重複する領域（以下では、「第一回動軸支部重複領域１２１」と称する。）の、第二アーム５０側の外形（外周１２１ｄの形状）に沿って形成される。
ここで、「仮想第二アーム領域１２０」とは、図１５において色付き部分として示すように、（湾曲した細長い概ね棒状の部材である）第二アーム５０が、第三回動軸５１ａと第四回動軸５２ａとを結んだ直線状であって、短手方向の幅が第二アーム５０の短手方向の幅と同一に形成されたと仮定した場合に、その仮定した直線状の第二アーム５０が占める領域として設定されるものである。即ち、端的に説明すれば、「仮想第二アーム領域１２０」とは、直線状に形成された第二アーム（以下では、「第二アーム１５０」）が占める領域を示すものである。
【０１１３】
より詳細には、図１５（ｃ）に示すように、第一回動軸支部重複領域１２１の第二アーム５０側の外形は、第一回動軸支部４８から第二回動軸支部４９側へ行くに従い第二アーム５０側に膨らんだ円弧状であって第二アーム５０側へ湾曲した部位１２１ａ（第一回動軸支部４８における筒状部材４８ａに相当する部位）と、さらに第二回動軸支部４９側へ行くに従い第二アーム５０側へ湾曲した部位１２１ｂ（第四回動軸支部５９における筒状部材４８ａの周囲の部位４８ｂに相当する部位であって、第一アーム上側湾曲部４５に相当する部位）と、さらに第二回動軸支部４９側へ行くに従い第二アーム５０の反対側へ向けて湾曲する部位１２１ｃ（第四回動軸支部５９における第一アーム上側湾曲部４５に相当する部位）と、により形成される。
【０１１４】
これに対して、第二アーム湾曲部５３は、第一回動軸支部４８（第三回動軸支部５８側）から第二回動軸支部４９側（第四回動軸支部５９側）へ行くに従い概ね下方（第一アーム４０の反対側）へ向けて湾曲（部位５３ａ）し、その後にさらに第一回動軸支部４８から第二回動軸支部４９側へ行くに従い概ね下方（第一アーム４０の反対側）へ向けて湾曲（部位５３ｂ）し、その後に概ね上方（第一アーム４０側）へ向けて湾曲（部位５３ｃ）するが、その湾曲した頂点部分５７が、第一アーム４０の第一アーム上側湾曲部４５（より詳細には、第一アーム上側湾曲部４５の第二アーム側の頂点）の概ね下方となる位置に形成される。
【０１１５】
そして、第二アーム５０において、第一回動軸支部４８から第二回動軸支部４９側へ行くに従い概ね下方（第一アーム４０の反対側）へ向けて湾曲する部位５３ａの第一アーム４０側の外周５３ｅと、第一回動軸支部重複領域１２１において、第一回動軸支部４８から第二回動軸支部４９側へ行くに従い第二アーム５０側に膨らんだ円弧状であって第二アーム５０側へ湾曲した部位１２１ａの第二アーム５０側の外周１２１ｅと、が概ね対向して近接するように形成される。
また、第二アーム５０において、さらに第一回動軸支部４８から第二回動軸支部４９側へ行くに従い概ね下方（第一アーム４０の反対側）へ向けて湾曲する部位５３ｂの第一アーム４０側の外周５３ｆと、第一回動軸支部重複領域１２１において、さらに第二回動軸支部４９側へ行くに従い第二アーム５０側へ湾曲した部位１２１ｂの第二アーム５０側の外周１２１ｆと、が対向して近接するように形成される。
また、第二アーム５０において、その後に概ね上方（第一アーム４０側）へ向けて湾曲する部位５３ｃの第一アーム４０側の外周５３ｇと、第一回動軸支部重複領域１２１において、さらに第二回動軸支部４９側へ行くに従い第二アーム５０の反対側へ向けて湾曲する部位１２１ｃの第二アーム５０側の外周１２１ｇと、が対向して近接するように形成される。
【０１１６】
上述の如く構成によって、第二アーム湾曲部５３は、仮想第二アーム領域１２０と、第一アーム４０の第一回動軸支部４８及び第一アーム上側湾曲部４５と、の重複する領域（「第一回動軸支部重複領域１２１」の、第二アーム５０側の外形に沿って形成される。
さらに、第一アーム４０の第二アーム５０側の外形と、第二アーム５０の第一アーム４０側の外形とが全体として相互に沿うような形状に形成される。
【０１１７】
ここで、第一回動軸支部重複領域１２１とは、上述の如く直線状に形成された第二アーム１５０が占める領域である。換言すれば、第一回動軸支部重複領域１２１とは、従来の技術と同様に第二アーム１５０が用いられた場合、及び取付孔ピン５ａとの干渉を避けるために湾曲した部位（第一アーム上側湾曲部４５）がある場合に、第一アーム４０が、当該第二アーム１５０と干渉するため、回動させることができない領域である。
【０１１８】
しかしながら、本発明においては、第二アーム湾曲部５３は、仮想第二アーム領域１２０と、第一アーム４０の第一回動軸支部４８及び第一アーム上側湾曲部４５と、の重複する領域（「第一回動軸支部重複領域１２１」）の、第二アーム５０側の外形に沿って形成される。従って、この第一回動軸支部重複領域１２１において、第一アーム４０が、第二アーム５０に干渉することがない。また、第二アーム５０は、必要最小限の範囲で第一アーム４０に干渉しないように湾曲されている（第一アーム４０を迂回している）。
なお、第二アーム５０において仮想第二アーム領域１２０と重複しない部分（仮想第二アーム領域１２０と重複せず下側にはみ出た部分）の面積を、第一回動軸支部重複領域１２１の面積に近づけることで、より必要最小限な範囲で第二アーム５０を湾曲させることができる（第一アーム４０を迂回させることができる）。
【０１１９】
従って、第一アーム４０及び第二アーム５０とケース体３０とが成す角度（本実施形態においては、ケース体３０は左右方向に延設されているため、第一アーム４０及び第二アーム５０の左右方向（水平方向）に対する傾斜角度）を、従来のものと比較して小さくすることができる。より詳細には、図１６（ｂ）に示すように、従来の技術と同様に第一アーム１４０及び第二アーム１５０を用いた場合の、当該第一アーム１４０及び第二アーム１５０の水平方向に対する角度βよりも、図１６（ａ）に示すように、本発明に係る第一アーム４０及び第二アーム５０を用いた場合の、当該第一アーム４０及び第二アーム５０の水平方向に対する角度αを小さくすることができる。
【０１２０】
また、第一アーム４０及び第二アーム５０が配置される領域を、第一アーム４０及び第二アーム５０の配置方向（左右方向）に小さくして、第一アーム４０及び第二アーム５０をコンパクトに配置することができる。
より詳細には、図１６（ｃ）に示すように、従来の技術と同様に第一アーム１４０及び第二アーム１５０を用いた場合に、当該第一アーム１４０及び第二アーム１５０の水平方向に対する角度を、本発明に係る第一アーム４０及び第二アーム５０を用いた場合の、当該第一アーム４０及び第二アーム５０の水平方向に対する角度αと同一するならば、第一アーム１４０及び第二アーム１５０の間（配置方向）の長さを、長さＷ２にする必要がある。
しかしながら、図１６（ａ）に示すように、本発明に係る第一アーム４０及び第二アーム５０を用いた場合には、当該第一アーム４０及び第二アーム５０の間（配置方向）の長さを、第一アーム１４０及び第二アーム１５０の間の長さＷ２より短い長さである長さＷ１としても、当該第一アーム４０及び第二アームの水平方向に対する角度を角度αとすることができる。つまり、第一アーム４０及び第二アーム５０が配置される領域を、第一アーム４０及び第二アーム５０の配置方向（左右方向）に小さくして、第一アーム４０及び第二アーム５０をコンパクトに配置することができる。
【０１２１】
また、第一アーム４０及び第二アーム５０が配置される領域を、第一アーム４０及び第二アーム５０の上下方向に小さくして、第一アーム４０及び第二アーム５０をコンパクトに配置することができる。
より詳細には、図１６（ｂ）に示すように、従来の技術と同様に第一アーム１４０及び第二アーム１５０を用いた場合に、当該第一アーム１４０及び第二アーム１５０の間（配置方向）の長さを、本発明に係る第一アーム４０及び第二アーム５０を用いた場合の、当該第一アーム４０及び第二アーム５０の間（配置方向）の長さＷ１と同一するならば、第一アーム１４０及び第二アーム１５０の上下方向の長さを、長さＨ２にする必要がある。
しかしながら、図１６（ａ）に示すように、本発明に係る第一アーム４０及び第二アーム５０を用いた場合には、当該第一アーム４０及び第二アーム５０の上下方向の長さを、第一アーム１４０及び第二アーム１５０の上下方向の長さＨ２より短い長さである長さＨ１としても、当該第一アーム４０及び第二アーム５０の間（配置方向）の長さを長さＷ１とすることができる。つまり、第一アーム４０及び第二アーム５０が配置される領域を、第一アーム４０及び第二アーム５０の上下方向に小さくして、第一アーム４０及び第二アーム５０をコンパクトに配置することができる。
【０１２２】
以下では、本発明に係る可動体支持構造の第二実施形態について、図１７を用いて説明する。
なお、以下では、第一実施形態に係る可動体支持構造と異なる点のみを説明し、同様の構成については説明を省略する。
【０１２３】
第二実施形態が第一実施形態と異なる点は、第一アーム上側湾曲部４５を有しない点である。つまり、第一実施形態において、第一アーム４０は、当該第一アーム４０の上方に配置された取付孔ピン５ａとの干渉を防ぐために、第一アーム上側湾曲部４５を有していたが、第二実施形態においては、取付孔ピン５ａが配置されていない。
【０１２４】
このように構成することにより、第二アーム５０の第二アーム湾曲部５３は、仮想第二アーム領域１２０と、第一アーム４０の第一回動軸支部４８と、の重複する領域（以下では、「第一回動軸支部重複領域１２１」と称する。）の、第二アーム５０側の外形（外周１２１ｉの形状）に沿って形成される。換言すれば、第二アーム湾曲部５３は、第一実施形態における湾曲部よりも小さく（仮想第一アーム領域１１０と重複せず下側にはみ出た部分を小さく）形成することができる。従って、図１７（ａ）に示すように、第一アーム４０及び第二アーム５０は、正面視で、長手方向を左右方向とし、短手方向を上下方向とした長方形内に収まるように形成され、第一アーム４０及び第二アーム５０をよりコンパクトに配置することができる。
【０１２５】
以上のように、本発明に係る構造の一実施形態である可動体支持構造は、
一方の端部が第一回動軸４１ａを介してケース体３０（基体）に回動自在に軸支され、他方の端部が第二回動軸４２ａを介して可動体６０に回動自在に軸支される第一アーム４０と、前記第一アーム４０に対向して配置され、一方の端部が第三回動軸５１ａを介して前記ケース体３０（基体）に回動自在に軸支され、他方の端部が第四回動軸５２ａを介して前記可動体６０に回動自在に軸支される第二アーム５０とを有し、前記可動体６０を前記ケース体３０（基体）に対して往復移動可能に支持する四節平行リンク機構を具備し、
前記ケース体３０（基体）に対して前記第一アーム４０及び第二アーム５０が、前記第二アーム５０側である正面視左回り（反時計回り、第一方向）に回動することで前記可動体６０が待機位置から作動位置に移動し、前記第一アーム４０側であって前記第一方向と反対方向である正面視右回り（時計回り、第二方向）に回動することで前記可動体６０が前記作動位置から前記待機位置に移動する、
可動体の支持構造であって、
前記第一アーム４０は、前記第一回動軸４１ａを軸支する第一回動軸支部４８と、前記第一回動軸４１ａ及び第二回動軸４２ａの間に配置されて前記第二アーム５０の反対側へ向けて凸となるように湾曲された第一アーム下側湾曲部４４（第一アーム曲成部）と、を有し、
第二アーム５０は、前記第四回動軸５２ａを軸支する第四回動軸支部５９と、前記第三回動軸５１ａ及び第四回動軸５２ａの間に配置されて前記第一アーム４０の反対側へ向けて凸となるように湾曲された第二アーム湾曲部５３（第二アーム曲成部）と、を有し、
前記可動体６０が前記待機位置に位置する待機状態において、
前記第一回動軸４１ａと前記第二回動軸４２ａとを結んだ直線状であって短手方向の幅を前記第一アーム４０の短手方向の幅と同一幅として設定される仮想第一アーム領域１１０に前記第二アーム５０の前記第四回動軸支部５９を重複させ、この重複する領域の前記第一アーム４０側の外形に沿って前記第一アーム４０の前記第一アーム下側湾曲部４４（第一アーム湾曲部）を形成し、
前記第三回動軸５１ａと前記第四回動軸５２ａとを結んだ直線状であって短手方向の幅を前記第二アーム５０の短手方向の幅と同一幅として設定される仮想第二アーム領域１２０に前記第一アーム４０の前記第一回動軸支部４８を重複させ、この重複する領域の前記第二アーム５０側の外形に沿って前記第二アーム５０の前記第二アーム湾曲部５３を形成し、
前記第一アーム４０の前記第二アーム５０側の外形と、前記第二アーム５０の前記第一アーム４０側の外形と、を全体として相互に沿うような形状に形成するものである。
【０１２６】
このように構成することにより、可動体６０をケース体３０（基体）に近接させる方向へ回動する際に、第一アーム４０及び第二アーム５０とケース体３０との成す角度を、従来のものと比較して小さくすることができ、且つ第一アーム４０及び第二アーム５０が配置される領域を小さくして、第一アーム４０及び第二アーム５０をコンパクトに配置することができる。
【０１２７】
なお、上述の如き第一実施形態及び第二実施形態においては、第一アーム４０及び第二アーム５０を湾曲（弓なりに曲成）させて湾曲部を形成しているが、第一アーム４０及び第二アーム５０の曲成部は必ずしも湾曲状とする必要はなく、例えば、第一アーム４０及び第二アーム５０を直線的に折り曲げて（有角状に曲成して）曲成部を形成してもよい。
【符号の説明】
【０１２８】
１：遊技機，３０：ケース体，４０：第一アーム，４１ａ：第一回動軸，４２ａ：第二回動軸，４４：第一アーム下側湾曲部（第一アーム曲成部），４９：第二回動軸支部，５０：第二アーム，５１ａ：第三回動軸，５２ａ：第四回動軸，５３：第二アーム湾曲部（第二アーム曲成部），５８：第三回動軸支部，６０：可動体，１１０：仮想第一アーム領域，１２０：仮想第二アーム領域
【図１】
0005594214.tif 000002
【図２】
0005594214.tif 000003
【図３】
0005594214.tif 000004
【図４】
0005594214.tif 000005
【図５】
0005594214.tif 000006
【図６】
0005594214.tif 000007
【図７】
0005594214.tif 000008
【図８】
0005594214.tif 000009
【図９】
0005594214.tif 000010
【図１０】
0005594214.tif 000011
【図１１】
0005594214.tif 000012
【図１２】
0005594214.tif 000013
【図１３】
0005594214.tif 000014
【図１４】
0005594214.tif 000015
【図１５】
0005594214.tif 000016
【図１６】
0005594214.tif 000017
【図１７】
0005594214.tif 000018